(57)【要約】【課題】本発明はゴルフ用帽子に関し、マーカが帽子の鍔部から脱落することなく、容易かつ確実に取付けが行え、取付性が向上し、使用時には取り外しが容易で直ちに使用に供せる等、操作性が良好であり、携行する時計への磁気的悪影響はなく、容易に製作、組付けが行え、デザイン性が優れている。【解決手段】帽子本体１と鍔部２とよりなり、鍔部が、表部材３と、裏部材４と、可撓性の合成樹脂板の芯部材５とで形成され、芯部材の左右何れかの縁部２ａの近傍にマーカ８のピン体部１０が係入される挿入孔６と、前記表部材３にマーカのピン体部が挿通される挿通孔７が前記挿入孔に重合可能に設けられている。【選択図】図１
2010133072.tif 000002
【特許請求の範囲】
【請求項１】
帽子本体と該帽子本体の前額部に取付けられる鍔部とよりなるゴルフ用帽子であって、前記鍔部が、布帛により形成される表部材と、布帛により形成される裏部材と、前記表部材および前記裏部材により被覆されて内装される可撓性を有する合成樹脂板の芯部材とで構成されているゴルフ用帽子において、
前記芯部材の左右何れかの縁部近傍の上面にはマーカのピン体部が係入可能な少なくとも１つの挿入孔が設けられ、
前記表部材には前記挿入孔に重合可能に前記マーカの前記ピン体部が挿通可能な挿通孔が設けられている、
ことを特徴とするゴルフ用帽子。
【請求項２】
帽子本体と該帽子本体の前額部に取付けられる鍔部とよりなるゴルフ用帽子であって、前記鍔部が、布帛により形成される表部材と、布帛により形成される裏部材と、前記表部材および前記裏部材により被覆されて内装される可撓性を有する合成樹脂板の芯部材とで構成されているゴルフ用帽子において、
前記芯部材の左右何れかの縁部近傍の上面には挿入孔に合成樹脂よりなる内筒を内装した鳩目部材が嵌入して設けられ、
前記表部材には前記挿入孔に重合可能にマーカのピン体部が挿通可能な挿通孔が設けられ、
前記ピン体部が前記内筒内に係脱可能に設けられている、
ことを特徴とするゴルフ用帽子。
【請求項３】
前記挿入孔の周囲には、該挿入孔に連通された分周的な複数個の切溝部と、これらの切溝部間に形成されて前記ピン体部に係脱可能にされる係止爪片と、が設けられていることを特徴とする請求項１に記載のゴルフ用帽子。
【請求項４】
前記切溝部間の外周には、円弧溝が形成されていることを特徴とする請求項１または３に記載のゴルフ用帽子。
【請求項５】
前記挿通孔の内縁が補強糸により縁絡げ処理されていることを特徴とする請求項１、または３、４の何れか１項に記載のゴルフ用帽子。
【請求項６】
前記挿入孔と前記挿通孔とが重合する孔内に平坦な基盤部の裏面に係止部を有したピン体部を突設させて形成したマーカの前記ピン体部が、係脱可能に取付けられていることを特徴とする請求項１〜５の何れか１項に記載のゴルフ用帽子。
【請求項７】
前記マーカの周囲には、取外し時に前記鍔部に対し間隙を確保される薄肉部が形成されていることを特徴とする請求項１〜６の何れか１項に記載のゴルフ用帽子。
【請求項８】
マーカの基盤部の裏面に突設された係止部を有するピン体部が係脱可能に係入される挿入孔を、可撓性を有する合成樹脂板の左右何れかの上面に、開設する工程と、
前記挿入孔に挿通孔を重合可能に表部材を芯部材の表面に配し、前記芯部材の裏面に裏部材を配して、前記表部材および前記裏部材で前記芯部材を被覆することにより、鍔部を形成する工程と、
前記鍔部を帽子本体の前記前額部に取り付ける工程と、
を有することを特徴とするゴルフ用帽子の成形方法。
【請求項９】
平面視略三日月状をなしてその縁部を縫い合わした袋状の表面部材および裏面部材内に、少なくとも１つの挿入孔が左右何れかの縁部近傍の上面に開設された可撓性を有する合成樹脂板の芯部材を挿入して鍔部を形成する工程と、
前記挿入孔内に前記表部材に開設された挿通孔を介してマーカの基盤部の裏面に突設された係止部を有するピン体部が、係脱可能に係入される鳩目部材を嵌入する工程と、
前記鳩目部材内に合成樹脂製の内筒を嵌着する工程と、
前記鍔部を帽子本体の前記前額部に取り付ける工程と、
を有することを特徴とするゴルフ用帽子の成形方法。
【発明の詳細な説明】
【技術分野】
【０００１】
本発明はゴルフ用帽子、およびゴルフ用帽子の成形方法に関し、ゴルフ競技等において使用されるマーカを帽子の鍔部に着脱可能に備え、そして、マーカが競技中に脱落することなく、容易かつ確実に取付けが行え、また自己のボールの代わりに位置を識別する使用時には鍔部からの取り外しが容易に行え、直ちに使用に供せる等、操作性が良好であり、携行する時計への磁気的悪影響はなく、また、帽子自体は大幅な変更を要することなく容易に製作、組付けが行え、帽子へのデザイン性を優れたものにする。
【背景技術】
【０００２】
従来、グリーン上で停止している自己のボールの代わりにその位置を識別するために使用されるマーカ、およびこのマーカを帽子の鍔部等に保持するためのゴルフマーカ用クリップとからなるゴルフマーカセットは、磁石による磁気的吸引力を利用してマーカを鍔部等に取付可能なクリップに着脱可能に取付けるようにしたものがある。このゴルフマーカセットは、円盤状の本体部材と、円盤状の蓋部材とに第１磁石を内蔵すると共に、少なくとも被接触面が磁性体により形成される全体形状が円盤状のマーカと、第１本体部材と第２本体部材との間にこのマーカと接触する接触面側に配置される第２磁石が内蔵され、少なくとも被接触面と接触する接触面が磁性体により形成されるゴルフマーカ用クリップと、から構成されたものがあった（例えば特許文献１参照）。
【先行技術文献】
【特許文献】
【０００３】
【特許文献１】特開２００８−４３９号公報
【発明の概要】
【発明が解決しようとする課題】
【０００４】
しかしながら、特許文献１に記載の従来のマーカ、およびゴルフマーカ用クリップとからなるゴルフマーカセットは、円盤状の本体部材と、円盤状の蓋部材とよりなるマーカに内蔵される第１磁石と、帽子の鍔部等に保持されて第１本体部材と第２本体部材との間に第２磁石を内蔵したゴルフマーカ用クリップとの、前記第１磁石、および前記第２磁石による磁気的吸引力を利用してゴルフマーカをゴルフマーカ用クリップに着脱可能に取付け、このゴルフマーカ用クリップを帽子の鍔部に挟持するようにして取付けるものなので、ドライバーによりボールを打撃する時にスイング動作したり、ヘッドがボールを打撃する打撃時の衝撃によりゴルフ用マーカがクリップに対する接触面にて横滑りを生じて脱落し、紛失されしまうことがあった。また、コースを移動中に木の枝が帽子に触れることにより、ゴルフ用マーカがクリップから強制的に脱落されることもあった。従って、グリーン上で停止している自己のボールの代わりにその位置を識別するという肝心な使用時に役に立たない事態となることがあった。
【０００５】
しかも、上記特許文献１に記載の従来のマーカ、およびゴルフマーカ用クリップは、第１磁石と、第２磁石との磁気的吸引力を利用してマーカをゴルフマーカ用クリップに吸着させるものなので、使用者が携行する時計が磁気的吸引力により狂い、正確な時刻を知ることが出来なくなる等の不都合を生じていた。
【０００６】
さらには、特許文献１に記載の従来のマーカ、およびゴルフマーカ用クリップは、マーカを構成する円盤状の本体部材と、円盤状の蓋部材と、第１磁石と、そして、クリップを構成する第１本体部材と、第２本体部材と、第２磁石とよりなる多くの部品が必要になるので、製作および組付けには多くの時間と手間がかかり、製作コストは高いものであった。
【０００７】
本発明は上記従来の欠点を解決し、マーカが競技中等に帽子の鍔部から脱落することなく、容易かつ確実に取付けが行え、取付性が向上し、そして、使用時には鍔部からの取り外しが容易であり、直ちに使用に供せる等、操作性が良好であり、また、携行する時計への磁気的悪影響はなく、しかも、帽子自体は大幅な変更を要することなく容易に製作、組付けが行え、さらには、帽子のデザイン性が優れたゴルフ用帽子、およびゴルフ用帽子の成形方法を提供することを目的とする。
【課題を解決するための手段】
【０００８】
本発明の請求項１に記載の発明は、帽子本体と該帽子本体の前額部に取付けられる鍔部とよりなるゴルフ用帽子であって、前記鍔部が、布帛により形成される表部材と、布帛により形成される裏部材と、前記表部材および前記裏部材により被覆されて内装される可撓性を有する合成樹脂板の芯部材とで構成されているゴルフ用帽子において、
前記芯部材の左右何れかの縁部近傍の上面にはマーカのピン体部が係入可能な少なくとも１つの挿入孔が設けられ、
前記表部材には前記挿入孔に重合可能に前記マーカの前記ピン体部が挿通可能な挿通孔が設けられている、
ことを特徴とする。
【０００９】
また、本発明の請求項２に記載の発明は、帽子本体と該帽子本体の前額部に取付けられる鍔部とよりなるゴルフ用帽子であって、前記鍔部が、布帛により形成される表部材と、布帛により形成される裏部材と、前記表部材および前記裏部材により被覆されて内装される可撓性を有する合成樹脂板の芯部材とで構成されているゴルフ用帽子において、
前記芯部材の左右何れかの縁部近傍の上面には挿入孔に合成樹脂よりなる内筒を内装した鳩目部材が嵌入して設けられ、
前記表部材には前記挿入孔に重合可能にマーカのピン体部が挿通可能な挿通孔が設けられ、
前記ピン体部が前記内筒内に係脱可能に設けられている、
ことを特徴とする。
【００１０】
また、本発明の請求項３に記載の発明は、請求項１において、前記挿入孔の周囲には、該挿入孔に連通された分周的な複数個の切溝部と、これらの切溝部間に形成されて前記ピン体部に係脱可能にされる係止爪片と、が設けられていることを特徴とする。
【００１１】
また、本発明の請求項４に記載の発明は、請求項１または３において、前記切溝部間の外周には、円弧溝が形成されていることを特徴とする。
【００１２】
また、本発明の請求項５に記載の発明は、請求項１、または３、４の何れか１項において、前記挿通孔の内縁が補強糸により縁絡げ処理されていることを特徴とする。
【００１３】
また、本発明の請求項６に記載の発明は、請求項１〜５の何れか１項において、前記挿入孔と前記挿通孔とが重合する孔内に平坦な基盤部の裏面に係止部を有したピン体部を突設させて形成したマーカの前記ピン体部が、係脱可能に取付けられていることを特徴とする。
【００１４】
また、本発明の請求項７に記載の発明は、請求項１〜６の何れか１項において、前記マーカの周囲には、取外し時に前記鍔部に対し間隙を確保される薄肉部が形成されていることを特徴とする。
【００１５】
また、本発明の請求項８に記載の発明は、
マーカの基盤部の裏面に突設された係止部を有するピン体部が係脱可能に係入される挿入孔を、可撓性を有する合成樹脂板の左右何れかの上面に、開設する工程と、
前記挿入孔に挿通孔を重合可能に表部材を芯部材の表面に配し、前記芯部材の裏面に裏部材を配して、前記表部材および前記裏部材で前記芯部材を被覆することにより、鍔部を形成する工程と、
前記鍔部を帽子本体の前記前額部に取り付ける工程と、
を有することを特徴とする。
【００１６】
また、本発明の請求項９に記載の発明は、
平面視略三日月状をなしてその縁部を縫い合わした袋状の表面部材および裏面部材内に、少なくとも１つの挿入孔が左右何れかの縁部近傍の上面に開設された可撓性を有する合成樹脂板の芯部材を挿入して鍔部を形成する工程と、
前記挿入孔内に前記表部材に開設された挿通孔を介してマーカの基盤部の裏面に突設された係止部を有するピン体部が、係脱可能に係入される鳩目部材を嵌入する工程と、
前記鳩目部材内に合成樹脂製の内筒を嵌着する工程と、
前記鍔部を帽子本体の前記前額部に取り付ける工程と、
を有することを特徴とする。
【発明の効果】
【００１７】
本発明の請求項１に記載の発明によれば、帽子本体と該帽子本体の前額部に取付けられる鍔部とよりなるゴルフ用帽子であって、前記鍔部が、布帛により形成される表部材と、布帛により形成される裏部材と、前記表部材および前記裏部材により被覆されて内装される可撓性を有する合成樹脂板の芯部材とで構成されているゴルフ用帽子において、前記芯部材の左右何れかの縁部近傍の上面にはマーカのピン体部が係入可能な少なくとも１つの挿入孔が設けられ、前記表部材には前記挿入孔に重合可能に前記マーカの前記ピン体部が挿通可能な挿通孔が設けられているので、特許文献１に記載の従来のマーカ、およびゴルフマーカ用クリップとからなるゴルフマーカセットのように、マーカに内蔵した第１磁石と、クリップに内蔵した第２磁石とによる磁気的吸引力を利用してマーカをクリップに保持させるのとは異なり、平坦な基盤部の裏面に突設した係止部を有するピン体部を帽子の鍔部の芯部材の左右何れかの上面に開設した少なくとも１つの挿入孔内に係脱可能に係入して取付けられるため、マーカが競技中等に帽子の鍔部から脱落することなく、容易かつ確実に取付けが行え、取付性が向上する。そして、使用時にはマーカの鍔部からの取り外しが容易であり、直ちに使用に供せる等、操作性が良好になる。また、磁石による磁気的吸引力を利用してマーカをクリップに保持させるものではないので、携行する時計の狂いは生ぜず、磁気的悪影響はない。しかも、帽子自体は合成樹脂板よりなる芯部材に挿入孔を開設するだけの簡単な取扱いで済むので、大幅な変更を要することなく容易に製作、組付けが行える。さらには、マーカは、本来の使用目的としてグリーン上における自己のボールの位置を指示するのに用いるのに限らず、種々の図形、文字、数字、多種の色彩が施こされたり、種々の形状に形成されたり、また写真を印刷することも可能なので、デザイン的に変化があり、おしゃれを楽しむことができる。
【００１８】
また、本発明の請求項２に記載の発明によれば、帽子本体と該帽子本体の前額部に取付けられる鍔部とよりなるゴルフ用帽子であって、前記鍔部が、布帛により形成される表部材と、布帛により形成される裏部材と、前記表部材および前記裏部材により被覆されて内装される可撓性を有する合成樹脂板の芯部材とで構成されているゴルフ用帽子において、前記芯部材の左右何れかの縁部近傍の上面には挿入孔に合成樹脂よりなる内筒を内装した鳩目部材が嵌入して設けられ、前記表部材には前記挿入孔に重合可能にマーカのピン体部が挿通可能な挿通孔が設けられ、前記ピン体部が前記内筒内に係脱可能に設けられているので、特許文献１に記載の従来のマーカ、およびゴルフマーカ用クリップとからなるゴルフマーカセットのように、マーカに内蔵した第１磁石と、クリップに内蔵した第２磁石とによる磁気的吸引力を利用してマーカをクリップに保持させるのとは異なり、平坦な基盤部の裏面に突設した係止部を有するピン体部を帽子の鍔部の芯部材の左右何れかの上面に開設した挿入孔に合成樹脂よりなる内筒が内装された鳩目部材を嵌入して設けられているため、マーカが競技中等に帽子の鍔部から脱落することなく、容易かつ確実に取付けが行え、取付性が向上する。そして、使用時にはマーカの鍔部からの取り外しが容易であり、直ちに使用に供せる等、操作性が良好になる。また、磁石による磁気的吸引力を利用してマーカをクリップに保持させるものではないので、携行する時計の狂いは生ぜず、磁気的悪影響はない。しかも、帽子自体は合成樹脂板よりなる芯部材に挿入孔を開設するだけの簡単な取扱いで済むので、大幅な変更を要することなく容易に製作、組付けが行える。さらには、マーカは、本来の使用目的としてグリーン上における自己のボールの位置を指示するのに用いるのに限らず、種々の図形、文字、数字、多種の色彩が施こされたり、種々の形状に形成されたり、また写真を印刷することも可能なので、デザイン的に変化があり、おしゃれを楽しむことができる。
【００１９】
また、本発明の請求項３に記載の発明によれば、請求項１において、前記挿入孔の周囲には、該挿入孔に連通された分周的な複数個の切溝部と、これらの切溝部間に形成されて前記ピン体部に係脱可能にされる係止爪片と、が設けられているので、帽子の鍔部に形成される係止爪片は分周的な複数個の切溝部間に設けられることにより半径方向の可撓性が十分に発揮され、マーカの裏面に突設されたピン体部が複数個の係止爪片により弾力的に係止される。また、使用時には挿入孔内にピン体部が係入されているマーカは、挿入孔に連通する切溝部により半径方向に可撓性が発揮される複数個の係止爪片から脱係させることにより、鍔部からの取り外しが容易に行え、直ちに使用に供せる等、操作性が良好になる。また、特許文献１に記載の従来のマーカ、およびゴルフマーカ用クリップとは異なり、磁石による磁気的吸引力を利用してマーカを帽子の鍔部に保持させるものではないので、携行する時計の狂いは生ぜず、磁気的悪影響はない。しかも、帽子自体は合成樹脂板よりなる芯部材に挿入孔を開設するだけで済むので、大幅な変更を要することなく容易に製作、組付けが行える。さらには、マーカは、本来の使用目的としてグリーン上における自己のボールの位置を示すのに用いるのに限らず、種々の図形、文字、数字、多種の色彩が施されたり、種々の形状に形成されたり、また写真を印刷する等して形成されるので、デザイン的に変化があり、おしゃれを楽しむことができる。
【００２０】
また、本発明の請求項４に記載の発明によれば、請求項１または３において、前記切溝部間の外周には、円弧溝が形成されているので、帽子の鍔部に形成される係止爪片は挿入孔に連通して設けた切溝部間の外周に円弧溝が設けられることにより周方向の可撓性が十分に発揮されるため、マーカの裏面に突設されたピン体部を複数個の係止爪片により弾力的に係止する。また、使用時には切溝部が連通する挿入孔内にピン体部が係入されているマーカは、円弧溝が設けられることにより周方向に可撓性が発揮される複数個の係止爪片から脱係されるため、鍔部からの取り外しが容易に行え、直ちに使用に供せる等、操作性が良好になる。また、特許文献１に記載の従来のマーカ、およびゴルフマーカ用クリップとは異なり、磁石による磁気的吸引力を利用してマーカを帽子の鍔部に保持させるものではないので、携行する時計の狂いは生ぜず、磁気的悪影響はない。しかも、帽子自体は合成樹脂板よりなる芯部材に挿入孔を開設するだけで済むので、大幅な変更を要することなく容易に製作、組付けが行える。さらには、マーカは、本来の使用目的としてグリーン上における自己のボールの位置を示すのに用いるのに限らず、種々の図形、文字、数字、多種の色彩が施されたり、種々の形状に形成されたり、また写真を印刷する等して形成されるので、デザイン的に変化があり、おしゃれを楽しむことができる。
【００２１】
また、本発明の請求項５に記載の発明によれば、請求項１、または３、４の何れか１項において、前記挿通孔の内縁が補強糸により縁絡げ処理されているので、鍔部の表部材に設けられた挿通孔の内縁は補強糸により糸のほつれがなく、強固に補強される。従ってマーカのピン体部を鍔部の係止爪片の挿入孔に係脱する場合に、表部材に設けた挿通孔の内縁からほつれた糸が絡みつくことがなく、係脱操作が円滑かつ確実に行える。
【００２２】
また、本発明の請求項６に記載の発明によれば、請求項１〜５の何れか１項において、
前記挿入孔と前記挿通孔とが重合する孔内に平坦な基盤部の裏面に係止部を有したピン体部を突設させて形成したマーカの前記ピン体部が、係脱可能に取付けられているので、特許文献１に記載の従来のマーカ、およびゴルフマーカ用クリップとからなるゴルフマーカセットのように、マーカに内蔵した第１磁石と、クリップに内蔵した第２磁石とによる磁気的吸引力を利用してマーカをクリップに保持させるのとは異なり、平坦な基盤部の裏面に突設した係止部を有するピン体部を帽子の鍔部の芯部材の左右何れかの上面に開設した少なくとも１つの挿入孔内に係脱可能に係入して取付けられるため、マーカが競技中等に帽子の鍔部から脱落することなく、容易かつ確実に取付けが行え、取付性が向上する。そして、使用時にはマーカの鍔部からの取り外しが容易であり、直ちに使用に供せる等、操作性が良好になる。また、磁石による磁気的吸引力を利用してマーカをクリップに保持させるものではないので、携行する時計の狂いは生ぜず、磁気的悪影響はない。しかも、帽子自体は合成樹脂板よりなる芯部材に挿入孔を開設するだけの簡単な取扱いで済むので、大幅な変更を要することなく容易に製作、組付けが行える。さらには、マーカは、本来の使用目的としてグリーン上における自己のボールの位置を指示するのに用いるのに限らず、種々の図形、文字、数字、多種の色彩が施こされたり、種々の形状に形成されたり、また写真を印刷することも可能なので、デザイン的に変化があり、おしゃれを楽しむことができる。
【００２３】
また、本発明の請求項７に記載の発明によれば、請求項１〜６の何れか１項において、前記マーカの周囲には、取外し時に前記鍔部に対し間隙を確保される薄肉部が形成されているので、マーカの使用時に、マーカのピン体部を帽子の鍔部に設けた挿入孔から脱係させる場合に、薄肉部と鍔部との間に爪先を差し込んで、マーカと鍔部との間の間隙を容易に拡大させ、挿入孔からピン体部を容易かつ確実に脱係させることができる。
【００２４】
また、本発明の請求項８に記載の発明によれば、マーカの基盤部の裏面に突設された係止部を有するピン体部が係脱可能に係入される挿入孔を、可撓性を有する合成樹脂板の左右何れかの上面に、開設する工程と、前記挿入孔に挿通孔を重合可能に表部材を芯部材の表面に配し、前記芯部材の裏面に裏部材を配して、前記表部材および前記裏部材で前記芯部材を被覆することにより、鍔部を形成する工程と、前記鍔部を帽子本体の前記前額部に取り付ける工程と、を有するので、特許文献１に記載の従来のマーカ、およびゴルフマーカ用クリップとからなるゴルフマーカセットのように、マーカに内蔵した第１磁石と、クリップに内蔵した第２磁石とによる磁気的吸引力を利用してマーカをクリップに保持させるものとは異なり、平坦な基盤部の裏面に突設した係止部を有するピン体部を帽子の鍔部の芯部材の左右何れかの上面に開設した少なくとも１つの挿入孔内に係脱可能に係入しているため、マーカが競技中等に帽子の鍔部から脱落することなく、容易かつ確実に取付けが行え、取付性が向上する。そして、使用時にはマーカの鍔部からの取り外しが容易であり、直ちに使用に供せる等、操作性が良好になる。また、磁石による磁気的吸引力を利用してマーカをクリップに保持させるものではないので、携行する時計の狂いは生ぜず、磁気的悪影響はない。しかも、帽子自体は合成樹脂板よりなる芯部材に挿入孔を開設するだけで済むので、大幅な変更を要することなく容易に製作、組付けが行える。さらには、マーカは、本来の使用目的としてグリーン上における自己のボールの位置を示すのに用いるのに限らず、種々の図形、文字、数字、多種の色彩が施されたり、種々の形状に形成されたり、また写真を印刷することも可能なので、デザイン的に変化があり、おしゃれを楽しむことができる。
【００２５】
また、本発明の請求項９に記載の発明によれば、平面視略三日月状をなしてその縁部を縫い合わした袋状の表面部材および裏面部材内に、少なくとも１つの挿入孔が左右何れかの縁部近傍の上面に開設された可撓性を有する合成樹脂板の芯部材を挿入して鍔部を形成する工程と、前記挿入孔内に前記表部材に開設された挿通孔を介してマーカの基盤部の裏面に突設された係止部を有するピン体部が、係脱可能に係入される鳩目部材を嵌入する工程と、前記鳩目部材内に合成樹脂製の内筒を嵌着する工程と、前記鍔部を帽子本体の前記前額部に取り付ける工程と、を有することを特徴とするので、特許文献１に記載の従来のマーカ、およびゴルフマーカ用クリップとからなるゴルフマーカセットのように、マーカに内蔵した第１磁石と、クリップに内蔵した第２磁石とによる磁気的吸引力を利用してマーカをクリップに保持させるものとは異なり、平坦な基盤部の裏面に突設した係止部を有するピン体部を帽子の鍔部の芯部材の左右何れかの上面に開設した挿入孔に嵌入された鳩目部材内に係脱可能に係入しているため、マーカが競技中等に帽子の鍔部から脱落することなく、容易かつ確実に取付けが行え、取付性が向上する。そして、使用時にはマーカの鍔部からの取り外しが容易であり、直ちに使用に供せる等、操作性が良好になる。また、磁石による磁気的吸引力を利用してマーカをクリップに保持させるものではないので、携行する時計の狂いは生ぜず、磁気的悪影響はない。しかも、帽子自体は合成樹脂板よりなる芯部材に挿入孔を開設するだけで済むので、大幅な変更を要することなく容易に製作、組付けが行える。さらには、マーカは、本来の使用目的としてグリーン上における自己のボールの位置を示すのに用いるのに限らず、種々の図形、文字、数字、多種の色彩が施されたり、種々の形状に形成されたり、また写真を印刷することも可能なので、デザイン的に変化があり、おしゃれを楽しむことができる。
【図面の簡単な説明】
【００２６】
【図１】図１は本発明のゴルフ用帽子の実施形態１を示す斜視図である。
【図２】図２は同じく部分切欠拡大平面図である。
【図３】図３は同じくマーカを鍔部に取付けた状態の拡大断面図である。
【図４】図４は同じく本実施形態１のマーカを構成する拡大側面図である。
【図５】図５は同じく本実施形態１のマーカを構成する拡大裏面図である。
【図６】図６は同じく本実施形態１のマーカの変形例を示し、マーカを鍔部に取付けた状態の拡大断面図である。
【図７】図７は同じく拡大裏面図である。
【図８】図８は同じく本発明のゴルフ用帽子の実施形態２を示す部分切欠拡大平面図である。
【図９】図９は同じく本発明のゴルフ用帽子の実施形態３を示す部分切欠拡大平面図である。
【図１０】図１０は同じく本発明のゴルフ用帽子の実施形態４を示す分解斜視図である。
【図１１】図１１は同じくマーカを鍔部に取付けた状態の拡大断面図である。
【発明を実施するための形態】
【００２７】
以下、図面に従って本発明の実施の最良の形態により、本発明の詳細を説明する。
【００２８】
＜実施形態１＞
図１乃至図７において、本実施形態１のゴルフ用帽子Ａは、帽子本体１と該帽子本体１の前額部１ａに取付けられる鍔部２とよりなるゴルフ用帽子であって、前記鍔部２が、布帛により形成される表部材３と、布帛により形成される裏部材４と、前記表部材３および前記裏部材４により被覆されて内装される可撓性を有する合成樹脂板の芯部材５とで構成されているゴルフ用帽子である。そして、前記表部材３、前記裏部材４、前記合成樹脂板は、その形状、および成形材料については従来のものと同様の構成である。
【００２９】
しかしながら、本実施形態１では、前記芯部材５の左右何れかの縁部近傍の上面にはマーカ８のピン体部１０が係入可能な少なくとも１つの挿入孔６が設けられ、前記表部材３には前記挿入孔６に重合可能に前記マーカ８の前記ピン体部１０が挿通可能な挿通孔７が設けられている。図１では、芯部材５の左側の縁部２ａの近くに１つの挿入孔６が設けられ、表部材３には前記挿入孔６に重合する１つの挿通孔７が設けられている。
【００３０】
そして、前記挿入孔６と、前記挿通孔７とが重合する孔内に平坦な基盤部９の裏面に係止部１０ａを有したピン体部１０が突設して形成されたマーカ８の前記ピン体部１０が係脱可能に係入されることによりマーカ８は前記鍔部２に取付けられる。
【００３１】
前記マーカ８は、合成樹脂または金属により形成され、図示する実施形態１では基盤部９が円盤状に形成されているが、マーカ８の形状は図示するものに限ることなく、その形状は平面視楕円、三角形、四角形、五角形、六角形等の多角形、星形、ハート形等その形状が限定されるものではない。また、基盤部９には、種々の図形、文字、数字等が表示されたり、または多種の色彩が施こされたり、また写真を印刷することにより、デザイン的に変化があり、おしゃれを楽しむことができる。
【００３２】
前記ピン体部１０は、上方から下方に向かって次第に拡大される傾斜断面により図１、図３、図４に示されるように、前記係止部１０ａが形成されるが、ピン体部１０の断面形状は図示は代表的な例示であり、これに限られない。要はピン体部１０に挿入孔６と係脱可能になる形状であればよい。
【００３３】
前記挿通孔７の内縁が補強糸１１により縁絡げ処理されている。このように、挿通孔７の内縁が補強糸１１により縁絡げ処理するのは、鍔部２の表部材３に設けられた挿通孔７の内縁を補強糸１１により糸のほつれをなくし、補強するためである。
【００３４】
本発明のゴルフ用帽子Ａの実施形態１は以上の構成からなり、このゴルフ用帽子Ａの成形方法を以下に述べる。
【００３５】
先ず、マーカ８の基盤部９の裏面に突設された係止部１０ａを有するピン体部１０が係脱可能に係入される挿入孔６を、鍔部２の芯部材５を構成する可撓性を有する合成樹脂板の左右何れかの上面に、開設する。図１に示す実施形態では、芯部材５の左側の縁部２ａの近傍に１つの挿入孔６が設けられ、表部材３には前記挿入孔６に重合する１つの挿通孔７が設けられている。
【００３６】
次いで、前記挿入孔６に挿通孔７を重合可能に表部材３が芯部材５の表面に配され、前記芯部材５の裏面に裏部材４を配して、前記表部材３および前記裏部材４で前記芯部材５を被覆することにより、鍔部２は形成される。
【００３７】
それから、該鍔部２を帽子本体１の前記前額部１ａに取り付ける工程と、を経てゴルフ用帽子Ａは成形される。
【００３８】
このようにして成形された本実施形態１のゴルフ用帽子Ａは、鍔部２を形成する芯部材５の左右何れかの縁部２ａの近傍の上面に少なくとも１つが設けられた挿入孔６と、前記表部材３には前記挿入孔６に重合可能に設けられた挿通孔７とに、マーカ８の平坦な基盤部９の裏面に突設された係止部１０ａを有するピン体部１０が係脱可能に係入されることによりマーカ８が前記鍔部２に取付けられている。そして、使用者はこのゴルフ用帽子Ａを被冠し、ゴルフコースに出向き、競技を行う。
【００３９】
そして、ボールがグリーン・オンして競技するのに際し、停止している自己のボールの代わりにその位置を識別するためにマーカ８を使用する場合には、マーカ８を鍔部２から引き剥がすようにして挿入孔６内に係止されているピン体部１０を引き抜く。
【００４０】
この際、図６、図７に示す変形例のように、マーカ８の円盤状の基盤部９の周囲に、薄肉部１２が形成されている場合には、マーカ８の使用時に、マーカ８のピン体部１０をゴルフ用帽子Ａの鍔部２に設けた挿入孔６から脱係させるのに、薄肉部１２と鍔部２との間に爪先を差し込んで、マーカ８と鍔部２との間の間隙ｔを拡大させ、挿入孔６からピン体部１０の係止部１０ａを容易かつ確実に脱係させることができる。この時、図示では円盤状の基盤部９の周囲に薄肉部１２を形成することにより間隙ｔを増大するようにしているが、この間隙ｔを確保するのには図示されるような段差を設けるようにして間隙ｔを確保しても良いし、図には示さないがテーパを基盤部９の周囲に設けるようにして間隙ｔを確保しても良い。
【００４１】
そして、鍔部２からマーカ８を取り外した後に、グリーン上で停止している自己のボールの代わりにその位置を識別するためにマーカ８を使用する。使用後には、ピン体部１０を再び挿通孔７、および可撓性を発揮する合成樹脂板に設けられた挿入孔６内に弾性的に押し込んで係止し、マーカ８を鍔部２にワンタッチ操作により迅速かつ簡単に取付けることができ、取付性が向上する。
【００４２】
この際、前記挿通孔７の内縁が補強糸１１により縁絡げ処理されているので、鍔部２の表部材３に設けられた挿通孔７の内縁は補強糸１１により糸のほつれがなく、補強される。従ってマーカ８のピン体部１０を鍔部２の挿入孔６に係脱する場合に、表部材３に設けた挿通孔７の内縁からほつれた糸が絡みつくことがなく、係脱操作が円滑かつ確実に行える。
【００４３】
このようにして、マーカ８は鍔部２に取付けられるので、特許文献１に記載の従来のマーカ、およびゴルフマーカ用クリップとからなるゴルフマーカセットのように、マーカに内蔵した第１磁石と、ゴルフマーカ用クリップに内蔵した第２磁石とによる磁気的吸引力を利用してマーカをゴルフマーカ用クリップに保持させるものとは異なり、平坦な基盤部９の裏面に突設した係止部１０ａを有するピン体部１０がゴルフ用帽子Ａの鍔部２の芯部材５の左右何れかの上面に開設した少なくとも１つの挿入孔６内に係脱可能に係入されているため、使用者がボールをドライバーシャフトのヘッドにより打撃するためのスイング操作時の衝撃を受けることによりマーカ８が鍔部２から脱落したり、コースを移動中に木の枝が帽子に触れることにより、挿入孔６からピン体部１０が不用意に引き抜かれ、マーカ８が紛失することがなくなる。従って、グリーン上で停止している自己のボールの代わりにその位置を識別するためにマーカ８が必要になり、使用する場合に、役に立たないという、不都合は解消される。
【００４４】
また、本実施形態１におけるマーカ８は、芯部材５の左右何れかの縁部２ａの近くの上面に少なくとも１つが設けられた挿入孔６内に、この挿入孔６に重合可能に表部材３に設けられた挿通孔７を介してマーカ８の平坦な基盤部９の裏面に突設したピン体部１０が係脱可能に係入されることによりマーカ８が前記鍔部２に取付けられるので、特許文献１に記載された従来のマーカ、およびゴルフマーカ用クリップとからなるゴルフマーカセットとは異なり、携行する時計の狂いは生ぜず、磁気的悪影響はない。
【００４５】
しかも、ゴルフ用帽子Ａ自体は、合成樹脂板よりなる芯部材５に挿入孔６を開設するだけの加工で済むので、大幅な変更を要することなく容易に製作、組付けを行うことができる。
【００４６】
さらには、前述のように、マーカ８は、本来の使用目的としてグリーン上における自己のボールの位置を示すのに用いるのに限らず、種々の図形、文字、数字、多種の色彩が施こされたり、種々の形状に形成されたり、また写真を印刷することにより、デザイン的に変化があり、おしゃれを楽しむことができる。
【００４７】
＜実施形態２＞
図８は本発明のゴルフ用帽子Ａの実施形態２を示す。この実施形態２では、前記挿入孔６の周囲に、該挿入孔６に連通された分周的な複数個の切溝部１３と、これらの切溝部１３間に形成されて前記ピン体部１０に係脱可能にされる係止爪片１４と、が設けられている点が前記実施形態１とは異なる構成である。
【００４８】
そして、本実施形態２では、ゴルフ用帽子Ａの鍔部２に形成される係止爪片１４は分周的な複数個の切溝部１３間に設けられることにより半径方向Ｒの可撓性が十分に発揮され、マーカ８の裏面に突設されたピン体部１０を複数個の係止爪片１４により弾力的に係止する。また、使用時には切溝部１３が連通されている挿入孔６内にピン体部１０が係入されたマーカ８を、切溝部１３が設けられることにより半径方向Ｒに可撓性が発揮される複数個の係止爪片１４からピン体部１０を脱係させると、マーカ８の鍔部２に対する取付および取り外しが容易に行え、直ちに使用に供せる等、操作性が良好になる。また、前記実施形態１では鍔部２に設けられた挿入孔６に重合可能に表部材３に設けられる挿通孔７の内縁を補強糸１１により縁絡げ処理することにより糸の解れを防止しているが、この実施形態２では図には示していないが前記挿入孔６の内縁のみに限らず、この挿入孔６に連通する前記切溝部１３に重合可能に前記表部材３に設けられる切欠孔の内縁を補強糸１１により縁絡げ処理することにより糸の解れを防止できる等の作用・効果を奏する。
【００４９】
＜実施形態３＞
図９は本発明のゴルフ用帽子Ａの実施形態３を示す。この実施形態３では、前記鍔部２の前記切溝部１３,１３間の外周には、円弧溝１５が形成されている点で前記実施形態１および実施形態２とは異なる構成である。
【００５０】
そして、この実施形態３では、ゴルフ用帽子Ａの鍔部２に形成される係止爪片１４は挿入孔６に連通して設けた切溝部１３,１３間の外周に円弧溝１５が設けられることにより周方向Ｓの可撓性が十分に発揮され、マーカ８の裏面に突設されたピン体部１０を複数個の係止爪片１４により弾力的に係止する。従って、特許文献１に記載の従来のマーカ、およびゴルフマーカ用クリップのように、磁石による磁気的吸引力を利用してマーカを帽子の鍔部に保持させるものではないので、競技中やコースを歩き回る等するうちに、マーカ８が紛失されることはない。そして、使用時には切溝部１３が連通されている挿入孔６内にピン体部１０が係入されたマーカ８を、円弧溝１５が設けられることにより周方向Ｓに可撓性が発揮される複数個の係止爪片１４から脱係させることにより、鍔部２からの取り外しや取付けが容易に行え、直ちに使用に供せる等、操作性が良好になる等の作用・効果を奏する。
【００５１】
＜実施形態４＞
図１０および図１１に示すものは本発明のゴルフ用帽子Ａの実施形態４を示し、この実施形態４では帽子本体１と該帽子本体１の前額部１ａに取付けられる鍔部２とよりなるゴルフ用帽子であって、前記鍔部２が、布帛により形成される表部材３と、布帛により形成される裏部材４と、前記表部材３および前記裏部材４により被覆されて内装される可撓性を有する合成樹脂板の芯部材５とで構成されているゴルフ用帽子においける点は前記実施形態１と同様の構成である。
【００５２】
しかしながら、本実施形態４では、前記芯部材５の左右何れかの縁部近傍の上面には挿入孔６に合成樹脂よりなる内筒２１が内装された鳩目部材２０を嵌入して設けられ、前記表部材３には前記挿入孔６に重合可能にマーカ８のピン体部１０が挿通可能な挿通孔７が設けられ、前記ピン体部１０が前記内筒２１内に係脱可能に設けられている点が前記実施形態１とは異なる構成である。
【００５３】
そして、本実施形態４のゴルフ用帽子の成形方法として、平面視略三日月状をなしてその縁部２ａを縫い合わした袋状の表面部材３および裏面部材４内に、少なくとも１つの挿入孔６が左右何れかの縁部２ａ近傍の上面に開設された可撓性を有する合成樹脂板の芯部材５を挿入して鍔部２を形成する工程と、前記挿入孔６内に前記表部材３に開設された挿通孔７を介してマーカ８の基盤部９の裏面に突設された係止部１０ａを有するピン体部１０が、係脱可能に係入される鳩目部材２０を嵌入する工程と、前記鳩目部材２０内に合成樹脂製の内筒２１を嵌着する工程と、前記鍔部２を帽子本体１の前記前額部に取り付ける工程と、を備えることにより、本実施形態４のゴルフ用帽子Ａは成形される。
【００５４】
上記工程、手順を経て本実施形態４のゴルフ用帽子Ａは成形され、平面視略三日月状をなしてその縁部２ａを縫い合わした袋状の表面部材３および裏面部材４内に、少なくとも１つの挿入孔６が左右何れかの縁部２ａ近傍の上面に開設された可撓性を有する合成樹脂板の芯部材５を挿入することにより鍔部２は形成されるので、前記実施形態１において鍔部２を形成する場合よりも製作するのに作業能率が向上する。
【００５５】
また、芯部材５の左右何れかの縁部２ａ近傍の上面に開設した挿入孔６内に、合成樹脂製の内筒２１を嵌着した鳩目部材２０が嵌入されるので、使用に際してマーカ８を鍔部２に取付けたり、または取外す場合に、この鳩目部材２０内にマーカ８のピン体部１０を係脱可能に係入できる。この時、鳩目部材２０内には、合成樹脂製の内筒２１が嵌着されているので、マーカ８のピン体部１０を係脱操作する時に、合成樹脂製の内筒２１が可撓性を発揮するのと、滑動に富み、マーカ８を鍔部２に取付後には確実な保持力によりピン体部１０を係止されるという優れた作用・効果を発揮するほかは前記実施形態１，実施形態２，実施形態３と同様な効果を奏する。
【００５６】
なお、図示する上記実施形態１乃至実施形態４の各実施形態では、前記芯部材５の左右何れかの縁部２ａの近くの上面、即ち左側の縁部２ａに１つの挿入孔６が設けられ、前記表部材３には前記挿入孔６に重合可能に１つの挿通孔７が設けられることにより、マーカ８の裏面に設けられたピン体部１０が係脱可能になる構成になっているが、挿入孔６と挿通孔７との設置場所は上記説明に限らず、しかも、挿入孔６と挿通孔７との設置個数の増減変更は自由に行える。
【００５７】
また、上記説明では、ゴルフ用帽子Ａにつきマーカ８を鍔部２に着脱可能に取付ける場合を代表的に説明したけれども、上記説明は代表的例示であり、帽子の用途はゴルフに限らない。また、上記説明はマーカ８に代えてバッジであっても本発明範囲を逸脱するものではない。
【産業上の利用可能性】
【００５８】
本発明は、マーカが競技中等に帽子の鍔部から脱落することなく、容易かつ確実に取付けが行え、取付性が向上し、そして、使用時には鍔部からの取り外しが容易であり、直ちに使用に供せる等、操作性が良好であり、また、携行する時計への磁気的悪影響はなく、しかも、帽子自体は大幅な変更を要することなく容易に製作、組付けが行え、さらには、帽子のデザイン性が優れているという用途・機能に適する。
【符号の説明】
【００５９】
１      帽子本体 
１ａ    前頭部
２      鍔部
２ａ    縁部
３      表部材
４      裏部材
５      芯部材
６      挿入孔
７      挿通孔
８      マーカ
９      基盤部
１０    ピン体部
１０ａ  係止部
１２    薄肉部
１３    切溝部
１４    係止爪片
１５    円弧溝
２０    鳩目部材
２１    内筒
Ａ      ゴルフ用帽子
【図１】
2010133072.tif 000003
【図２】
2010133072.tif 000004
【図３】
2010133072.tif 000005
【図４】
2010133072.tif 000006
【図５】
2010133072.tif 000007
【図６】
2010133072.tif 000008
【図７】
2010133072.tif 000009
【図８】
2010133072.tif 000010
【図９】
2010133072.tif 000011
【図１０】
2010133072.tif 000012
【図１１】
2010133072.tif 000013